(57)【要約】  本発明は、２つの類似する、厚さが異なる入れ子構造部分を備えた装置（５）に関する。すなわち、廃棄可能な薄い部分すなわちカバー（１）は食料を受け、このカバーはその使用に適合するような強度を有し、再利用可能なベース（３）は、その上にカバー（１）が取り付けられるようになっており、入れ子構造の組合せ体（５）において強度および剛性を提供するような厚さを有する材料から形成されている。これらの２つの部分（１および３）は、おなじくぼみを有するよう製造される。必要不可欠なカバー（１）はベース（３）上に適合され、皿と交換するようにベースと食料との間にカバー（１）が挿入される。カバーは取り除かれ、使用後に廃棄される。
2008529574.tif 000002
【特許請求の範囲】
【請求項１】
食料を受けるよう形成された装置または組合せ体（５）であって、
２つの類似する、厚さが異なり使用の際に固定して取り付けられるような入れ子構造部分を備え、
これらの２つの類似する入れ子構造部分は、区画化された形状の少なくとも同じくぼみ部分を有し、
カバー（１）とよばれる第１の部分は、食料および必要に応じてその消費に必要な付属品を受け、この第１の部分は移動可能となっており、ベース（３）を形成する第２の部分は、入れ子構造を内部で形成するようなカバー（１）を受けることを特徴とする装置または組合せ体（５）。
【請求項２】
食料を受けるカバー（１）は、強固なフィルム（２）の層を有することを特徴とする請求項１記載の装置または組合せ体（５）。
【請求項３】
カバー（１）が載せられるベース（３）は、組合せ体（５）に強度および剛性を与えるような層（４）を有することを特徴とする請求項１または２記載の装置または組合せ体（５）。
【請求項４】
カバー（１）の形状および寸法、ベース（３）の形状および寸法、ならびに構成要素の数および量は、変えることができることを特徴とする請求項１乃至３のいずれか一項に記載の装置または組合せ体（５）。
【請求項５】
２つの部分であるカバー（１）およびベース（３）の組合せ体（５）は、形状を変えることができることを特徴とする請求項１乃至４のいずれか一項に記載の装置または組合せ体（５）。
【請求項６】
２つの部分であるカバー（１）およびベース（３）の組合せ体（５）は、食事のトレイのタイプのものからなることを特徴とする請求項１乃至５のいずれか一項に記載の装置または組合せ体（５）。
【請求項７】
カバー（１）はベース（３）を部分的に覆うことを特徴とする請求項１乃至６のいずれか一項に記載の装置または組合せ体（５）。
【請求項８】
ベース（３）およびカバー（１）と同じくぼみ部分を有する、区画化されたまたは区画化されていない蓋を更に備えたことを特徴とする請求項１乃至７のいずれか一項に記載の装置または組合せ体（５）。
【請求項９】
請求項１乃至８のいずれか一項に記載の装置または組合せ体（５）の製造方法であって、
区画化された形状のカバー（１）およびベース（３）は、同じ型穴によって、化学合成物品または他の材料から成型されることを特徴とする製造方法。
【請求項１０】
請求項１乃至８のいずれか一項に記載の装置または組合せ体（５）の製造方法であって、
前記カバー（１）およびベース（３）は、同じ形状の区画化されたくぼみ部分とともに、機械加工または打ち抜き加工により形成されることを特徴とする製造方法。
【請求項１１】
市販されたベースまたはカバー（３）に基づいて、カバー（１）は様々な方法により要求に応じて形成されることを特徴とする請求項１０記載の製造方法。
【請求項１２】
請求項１乃至８のいずれか一項に記載の、食料を受ける装置または組合せ体（５）の使用方法であって、
カバー（１）はベース（３）上にその形状に合わせて押し付けられ、密接に抱え込まれ、食料および必要に応じて付属品がカバー（１）上に載せられ、
このカバー（１）は、食料が消費されたときに捨てられるように形成されており、毎回の使用においてベース（３）上に新たなカバー（１）が載せられるようになっており、ベース（３）を再利用することができるようになっていることを特徴とする使用方法。
【発明の詳細な説明】
【技術分野】
【０００１】
本発明は、厚さが異なる２つの部分を備え、効率的な使用の間にこれらの２つの部分は固定して取り付けられ、これらの２つの部分は類似の入れ子構造となっているような、食料を受けるよう形成された組合せ体に関する。
【背景技術】
【０００２】
カバーとよばれる第１の本質的部分は、食料、およびその消費に必要な付属品を受ける。この第１の本質的部分は、その使用目的のため、薄いが十分に強度を有する、例えば強力なフィルムからなる材料から形成されている。この取り外し自在のカバーは、廃棄することができ、このため使用後に再利用することはできない。毎回の使用において新しいカバーがベース上に置かれる。
【０００３】
カバーが載せられるようなベースを構成する第２の部分は、その層が組合せ体に強度および剛性を必ず与えるような材料から製造される。このような支持体は、元に戻すことができ、このため再利用することができる。その材料は、食料に対する安全性を確保する。
【０００４】
現在では、類似の装置において、調理された食料が弱い部分に載せられ、制限された持続性および使用においてさえ、土台がない。他の再利用可能な装置は、多くの食料の安全性を本発明のようには確保できない。
【発明の開示】
【発明が解決しようとする課題】
【０００５】
本発明による組合せ体によれば、上述の不利益を改善することができる。とりわけ、この組合せ体は、さまざまな新規な点および決定的な特徴を有する。
【課題を解決するための手段】
【０００６】
カバーおよびベースからなる２つの部分は、成形、機械加工、スタンピングまたは他の方法により区画化された形状の、少なくとも１つのくぼみ部分を有する。カバーおよびベースの両方の機械加工において金型が用いられ、使用される材料にかかわりなく、必要な寸法とされる。
【０００７】
本発明の本質的構成要素であるカバーは、強固なフィルムを得ることができるような様々な材料より形成される。この強固なフィルムは、調理された食料が直接的に載せられるようになっている。このカバーは取り外し可能であり、ベースに押圧されるようになっており、その形状はカバーに適合するようになっている。カバーは食料とベースの間に挿入され、このようにして従来の陶器と置き換えられる。区画された形状のベースと同じくぼみ部分から形成されることにより、カバーは剛性を得ることができ、支持体上に安定して残り、使用の際に変形することはない。
【０００８】
この使い捨てのカバーは、食料が消費されたら廃棄される。このため、衛生上の安全性をより良くすることができる。このカバーは、ヨーロッパの基準において、食料の保証された安全性のある材料より形成される。
【０００９】
ベースは任意で再利用することができるが、毎回の使用において新しいカバーがセットされなければならない。
【００１０】
特定の実施形態は以下の通りである。
カバーおよびベースを組み合わせた形で使用するために、カバーおよびベースは連結されている。使用される材料は、必ずしも同一のものでなくともよい。熱硬化性、熱可塑性、金属化された、または非金属化されたポリスチレン、金属、成形体または波形の段ボールの材料、これらの組合せ、または適切な材料好ましくはリサイクル可能なまたは生物分解可能な材料が使用される。
製造のために、射出、熱成形、区画化された形状の金型の同じくぼみ部分と同一のものからの成形、機械加工、スタンピング、または区画化されたくぼみ部分と同一のものによる押圧等、あらゆる方法が使用される。
カバーおよびベースの形状および寸法、区画の数および量は、様々なものとなり、特定の需要または一定の基準に基づいて、要求に応じて変更される。組合せ体は、正方形、長方形、長円形、円形であってもよく、特定のプレートの形状または他の形状であってもよい。
どのような材料であっても、効率性を最適化してごみを減らすという与えられた要求のため、カバーの厚さはできる限り薄くなければならない。
白、カラーまたは半透明となるよう、このカバーはカスタマイズされ、様々なデコレーション、ロゴ、ブランド名または他のシンボルにより装飾される。
【発明を実施するための最良の形態】
【００１１】
添付図面は本発明を説明している。非制限的な例として、以下の図面は、可能なモデルのうちの一つを説明している。
図１は、カバーの形状を示している。
図２は、カバーの断面を示している。
図３は、ベースの形状を示している。
図４は、ベースの断面を示している。
図５は、最終的な入れ子構造が形成される前におけるカバーとベースの組合せ体の断面図である。
【００１２】
これらの様々な図面は、本発明の２つの部分を明確に示している。
第１の部分、すなわち食料を受けるようなカバー１は、非常に薄い材料２から形成されている。
第２の部分、すなわちカバー１が適合するようなベース３は、その層４が剛性を確実にするような材料から形成されている。
一方が他方を入れ子にしているような２つの部分１および３に係る図５は、通常の使用において、カバー１がベース３に向かって押圧される前にこのカバー１がベース３上にどのように存在するかを断面で示している。
【００１３】
本発明による装置は、とりわけ食料の分野で、更に詳しくはケータリングサービスの分野において形成されている。
【００１４】
この場合、上述の例は、ベース部分３にカバー部分１が設けられるような本発明による食事トレー５のタイプのものとなる。その非常に単純な使用により、様々な分野において疑う余地のない利益が得られる。
一方、消費者は、その人のトレー５を手に取り、食事を選び（食料および必要に応じて付属品がカバー１上に載せられる）、料金の支払いを行い、トレー５を持ち去り、席に着き、食事をした後去っていく。
一方、この概念を導入した専門家は、すぐにその価値を評価する。
消費者が去ったあとすぐに、構成要素の洗浄が極端に単純化される。この仕事に責任のある人は、トレー５を片手で持ち上げ、他方の手で、食料の残り物を含むようなカバー１をベース３から取り除き、ゴミ箱にこの食料の残り物を捨てる。
【００１５】
より良い効率性を確実なものにする他の利益は、以下の通りである。
陶器や他の付属品の取り扱いを行うことがない。
事実上、皿洗いを全てなくす。
水および洗浄用材料を節約し、このことにより環境保護に役立つ。
キッチンにおける準備時間を節約する。
サービスを単純化する。
ベースおよびカバーの組合せ体からなり、一方が他方を入れ子にしているような２つの部分は、必要なスペースを小さなものとし、取り扱いおよび保管をより容易にしている。
オーダー、サービスおよび料金の支払い間の待機時間をなくす。
【００１６】
その結果として、これらの全ての利益により、消費者の回転率の増加を促進する。
【００１７】
食料の分野において、本発明は、すぐに消費されるよう準備された、調理された食事のデリバリーに完全に適合し、概してケータリングに非常に適合する。他の事として、本発明は、ミーティングを組織することを専門とする企業、スーパーストア、航空会社、船会社、鉄道会社、国民教育機構、病院、老人ホームを満足させるとともに、全ての国内の、または国際的なあるいはフランチャイズ化されたファーストフード企業を満足させる。
【００１８】
最後に、このカバーにおける打ち負かすことができない安価なコストは、本発明の価値を完全に強固なものとする。
【００１９】
装置は、少なくともカバー１すなわち後の部分（図示せず）を覆う蓋を備えていてもよく、この蓋はカバー１と同じまたは異なる材料で形成されており、この蓋により食料の安全性が確保されることに留意されたい。この蓋は、食事時においてベース３の下でスペースを取ることのないような入れ子構造となっていることが好ましい。また、この蓋は、必要に応じ、片方の手での取り扱いをより容易なものとするため、食料とともに一または複数の他の装置を支持する。また、この蓋は、ベースおよびカバーにおける同じくぼみにおいて、その剛性が区画化され、必要に応じて、ベースの下で入れ子構造の隙間から分離されたカバーと同じ形状となっていてもよい。一方で、食事時にベース３の下で蓋を入れ子にすることができ、他方で、カバー１上の冷たい食料から暖かい食料を断熱させることができる。
【図面の簡単な説明】
【００２０】
【図１】カバーの形状を示している。
【図２】カバーの断面を示している。
【図３】ベースの形状を示している。
【図４】ベースの断面を示している。
【図５】最終的な入れ子構造が形成される前におけるカバーとベースの組合せ体の断面図である。
【図１】
2008529574.tif 000003
【図２】
2008529574.tif 000004
【図３】
2008529574.tif 000005
【図４】
2008529574.tif 000006
【図５】
2008529574.tif 000007
【国際調査報告】
2008529574.tif 000008
2008529574.tif 000009
2008529574.tif 000010
2008529574.tif 000011
2008529574.tif 000012
2008529574.tif 000013